(57)【要約】【課題】監視状態における二次側配管内の圧力を可能な限り低くして、二次側配管からの水漏れ防止、腐食進行防止ができるスプリンクラ消火設備を提供する。【解決手段】本発明に係るスプリンクラ消火設備１は、二次側配管７と、二次側配管７と一次側配管５との間に設けられた流水検知装置９と、流水検知装置９のシリンダ室１１と二次側配管７との間に設けられて二次側圧力を調圧する調圧パイロット弁１３と、二次側配管７内の圧力が所定圧以上になったときに二次側配管７から排水して二次側配管７内の圧力を所定圧未満に調整する排圧弁１９とを備えたスプリンクラ消火設備１において、二次側配管７と調圧パイロット弁１３との間に設けられて、監視状態では二次側配管７内の圧力が低下した時に開放して、二次側配管７の圧力を所定圧以上に調圧し、閉鎖型スプリンクラヘッド３が開放した際には、開放状態を維持する減圧開放弁１５を備えたことを特徴とするものである。【選択図】  図１
2020156811.tif 000002
【特許請求の範囲】
【請求項１】
閉鎖型スプリンクラヘッドが設けられて監視状態で充水される二次側配管と、該二次側配管と一次側配管との間に設けられた流水検知装置と、該流水検知装置のシリンダ室と前記二次側配管との間に設けられて二次側圧力を調圧する調圧パイロット弁と、前記二次側配管内の圧力が所定圧以上になったときに前記二次側配管から排水して前記二次側配管内の圧力を所定圧未満に調整する排圧弁とを備えたスプリンクラ消火設備において、
前記二次側配管と前記調圧パイロット弁との間に設けられて、監視状態では前記二次側配管内の圧力が低下した時に開放して、前記二次側配管の圧力を所定圧以上に調圧し、前記閉鎖型スプリンクラヘッドが開放した際には、開放状態を維持する減圧開放弁を備えたことを特徴とするスプリンクラ消火設備。
【発明の詳細な説明】
【技術分野】
【０００１】
本発明は、スプリンクラ消火設備に関し、特に流水検知装置の二次側配管内に充水する湿式のスプリンクラ消火設備に関するものである。
【背景技術】
【０００２】
一定規模以上の建物には、消火設備としてスプリンクラ消火設備が設けられている。スプリンクラ消火設備は、天井に設置されたスプリンクラヘッドから放水することで、火災を消火する設備である。
【０００３】
スプリンクラ消火設備には、流水検知装置の二次側の配管（以下、単に「二次側配管」という）に消火水を充水するタイプのものがあり、このタイプのスプリンクラ消火設備には、スプリンクラヘッドの開放による二次側配管内の圧力低下によって消火が行われる湿式のものがある（例えば特許文献１の従来の技術参照）。
【０００４】
このタイプは、二次側配管内の圧力の低下が作動条件となっているため、監視状態において二次側配管内の圧力を一定の範囲に調圧する必要があり、そのための機構として、流水検知装置のシリンダ室と二次側配管との間に調圧パイロット弁を設けている。
そして、監視状態において、例えばごくわずかな水漏れ等によって二次側配管内の圧力が調圧パイロット弁の設定圧力よりも低下すると、調圧パイロット弁が僅かに開放して二次側配管へ充水し、圧力を回復するようにしている（例えば、特許文献２の背景技術参照）。
【０００５】
また、火災発生時においては、スプリンクラヘッドの作動により、二次側配管内の圧力が調圧パイロット弁の設定圧力より低くなると、調圧パイロット弁が開放してシリンダ室内の加圧水が二次側配管に流入する。
調圧パイロット弁の加圧水の流れが一定以上になるとシリンダ室の圧力が低下して本弁が開放する。本弁の流量が増加して二次側配管内の圧力が調圧パイロット弁の設定圧力に近づくと、調圧パイロット弁の開度が絞られて本弁のシリンダ室の圧力が上昇して本弁の開度が絞られ、二次側配管内の圧力が所定の圧力に制御される。これによって、スプリンクラヘッドからは所定の圧力で消火水が散水される。
【先行技術文献】
【特許文献】
【０００６】
【特許文献１】特開平１１−４９０７号公報
【特許文献２】特開２００９−１０３２５４号公報
【発明の概要】
【発明が解決しようとする課題】
【０００７】
監視状態における二次側配管内の圧力が高いと、配管の腐食が進行しやすく、また二次側配管にわずかな亀裂等があっても水漏れを発生する。そのため、最近では、監視状態における二次側配管内の圧力をできるだけ低圧、例えば0.4MPa程度になるように調圧パイロット弁の設定圧力を調整している。
しかし、調圧パイロット弁の設定圧力は、上述したように、火災時におけるスプリンクラヘッドから放水する圧力制御に関係しているため、設定圧力をさらに下げると、スプリンクラヘッドを最低放水圧力（0.1MPa）以上で放水するための圧力水頭を確保できない。
そのため、監視状態での二次側配管内の圧力を上記の例えば0.4MPa程度よりも下げることができず、二次側配管からの水漏れ防止、腐食進行防止の要請に応えることができなかった。
【０００８】
本発明はかかる課題を解決するためになされたものであり、湿式のスプリンクラ消火設備において、監視状態における二次側配管内の圧力を可能な限り低くして、二次側配管からの水漏れ防止、腐食進行防止の要請に応えることができるスプリンクラ消火設備を提供することを目的としている。
【課題を解決するための手段】
【０００９】
本発明に係るスプリンクラ消火設備は、閉鎖型スプリンクラヘッドが設けられて監視状態で充水される二次側配管と、該二次側配管と一次側配管との間に設けられた流水検知装置と、該流水検知装置のシリンダ室と前記二次側配管との間に設けられて二次側圧力を調圧する調圧パイロット弁と、前記二次側配管内の圧力が所定圧以上になったときに前記二次側配管から排水して前記二次側配管内の圧力を所定圧未満に調整する排圧弁とを備えたスプリンクラ消火設備において、
前記二次側配管と前記調圧パイロット弁との間に設けられて、監視状態では前記二次側配管内の圧力が低下した時に開放して、前記二次側配管の圧力を所定圧以上に調圧し、前記閉鎖型スプリンクラヘッドが開放した際には、開放状態を維持する減圧開放弁を備えたことを特徴とするものである。
【発明の効果】
【００１０】
本発明に係るスプリンクラ消火設備においては、二次側配管と調圧パイロット弁との間に設けられて、監視状態では二次側配管内の圧力が低下した時に開放して、二次側配管の圧力を所定圧以上に調圧し、閉鎖型スプリンクラヘッドが開放した際には、開放状態を維持する減圧開放弁を設けたことにより、監視状態における二次側配管内の圧力設定を調圧パイロット弁の設定圧力と切り離して設定することが可能になり、二次側配管内の圧力を、圧力変動の検知ができる程度のごく低圧に設定することができる。
これによって、二次側配管からの水漏れ防止、腐食進行防止の要請に応えることができる。
【図面の簡単な説明】
【００１１】
【図１】本発明の実施の形態に係るスプリンクラ消火設備の全体構成の説明図である（監視状態）。
【図２】本発明の実施の形態に係るスプリンクラ消火設備の全体構成の説明図である（監視状態で圧力低下）。
【図３】本発明の実施の形態に係るスプリンクラ消火設備の全体構成の説明図である（火災発生時）。
【発明を実施するための形態】
【００１２】
本実施の形態にかかるスプリンクラ消火設備１は、図１に示すように、閉鎖型スプリンクラヘッド３（以下、単に「スプリンクラヘッド３」という）が設けられて監視状態で充水される二次側配管７と、二次側配管７と一次側配管５との間に設けられた流水検知装置９と、流水検知装置９のシリンダ室１１と二次側配管７との間に設けられて二次側圧力を調圧する調圧パイロット弁１３とを備えたものであって、二次側配管７と調圧パイロット弁１３との間に設けられて、監視状態では二次側配管７内の圧力が低下した時に開放して、二次側配管７の圧力を所定圧以上に調圧し、閉鎖型スプリンクラヘッド３が開放した際には、開放状態を維持する減圧開放弁１５を備えたものである。
以下、主な構成および該構成に付随する機器について説明する。
【００１３】
＜一次側配管、二次側配管＞
一次側配管５は、流水検知装置９の一次側に設けられ、図示しない給水本管に接続されている。
二次側配管７は、流水検知装置９の二次側に設けられ、火災時において消火水をスプリンクラヘッド３に給水する給水管の一部を形成する。
監視状態において、二次側配管７には常時所定圧力の消火水が充水されている。二次側配管７内に充水された消火水を所定圧に調整しているのは、二次側配管７内の圧力の低下を検知することで、スプリンクラヘッド３の開放を検知するためである。
二次側配管７内の圧力調整は、二次側配管７に連通された排水管１７に設けられた排圧弁１９、減圧開放弁１５によって行われる。二次側配管７内の調圧方法については後述する。
【００１４】
＜流水検知装置＞
流水検知装置９は、二次側配管７と一次側配管５との間に設けられて、スプリンクラヘッド３の開放時に一次側と二次側を連通させて消火水を二次側配管７に供給すると共に流水信号を発信する機能を有している。
このような機能を有する流水検知装置９の構造を概説すると、図１に示すように、弁箱２１の内部が、弁体としての機能を有するジスク２３が設置されたシリンダ室１１、一次側配管５に連通する一次室２５、及び二次側配管７に連通する二次室２７に区画されている。ジスク２３は、シリンダ室１１の内壁に沿ってスライド可能に構成され、開放時にはリミットスイッチ２９を作動させて流水信号を発信する。
一端側がシリンダ室１１に接続され、他端側が一次室２５に接続され、シリンダ室１１と一次室２５を連通させる連通管３１が設けられ、連通管３１には一次室２５からシリンダ室１１への流れのみを可能にする逆止弁３３が設置されている。
【００１５】
＜調圧パイロット弁＞
調圧パイロット弁１３は、流水検知装置９のシリンダ室１１と二次側配管７との間に設けられて調圧パイロット弁１３（流水検知装置９）の二次側圧力を調圧する機能を有している。
調圧パイロット弁１３の二次側には、二次側配管７に連通される調圧二次側配管３５が設けられており、調圧二次側配管３５には、減圧開放弁１５が設けられている。
減圧開放弁１５が閉止状態では、調圧パイロット弁１３の二次側と二次側配管７とは連通しておらず、調圧パイロット弁１３は、二次側配管７内の圧力の影響を受けない。
【００１６】
＜減圧開放弁＞
減圧開放弁１５は、調圧二次側配管３５に設けられて、調圧パイロット弁１３の二次側が二次側配管７の圧力の影響を受けないようにする、換言すれば調圧パイロット弁１３の二次側と二次側配管７との縁を切る機能を有している。そして、監視状態において二次側配管７内の圧力を調圧パイロット弁１３の二次側圧力よりも低い圧力に維持できるようにすると共にスプリンクラヘッド３が開放した際には開放状態となる。
【００１７】
このような機能を有する減圧開放弁１５は、図１の拡大図に示すように、調圧二次側配管３５に接続される一次側接続部３７及び二次側となる二次側配管７に連通される二次側接続部３９を有するケーシング４１と、ケーシング４１内に配設されて一次側接続部３７と二次側接続部３９の間を移動可能に設けられた弁体４３と、弁体４３を一次側接続部３７に向かって常時付勢するスプリング等の付勢手段４５と、弁体４３が所定の開度以上に開放した際に弁体４３を開放状態に維持するストッパ機構４７とを備えている。ストッパ機構４７は、弁体４３にケーシング４１を貫通して設けられた弁棒４９と、弁棒４９に設けられた凹部４９ａと、ケーシング４１に設けられ凹部４９ａに係止する係止部５１によって構成されている。
ケーシング４１の内部には、弁体４３が閉止時に消火水の移動を確実に停止するためのシール部５３が設けられている。
【００１８】
減圧開放弁１５の設定圧力は、調圧パイロット弁１３の設定圧力よりも低圧に設定されている。例えば、調圧パイロット弁１３の設定圧力が0.4MPaのときに、減圧開放弁１５の設定圧力は、0.03MPaに設定する。このように設定することで、二次側配管７内の圧力を調圧パイロット弁１３の二次側圧力よりも低圧にすることができる。
【００１９】
以上のように構成された本実施の形態の動作について、監視状態、火災発生時に分けて説明する。
【００２０】
＜監視状態＞
監視状態では、ジスク２３は閉止状態となっているが、二次側配管７内の圧力は排圧弁１９及び減圧開放弁１５によって常時一定の圧力に調圧されている（図１参照）。
すなわち、温度上昇等により、二次側配管７内の圧力が所定の圧力よりも上昇した場合には、排圧弁１９が開放して排水管１７から排水され、二次側配管７内の圧力を低下させる。
本実施の形態では、二次側配管７と調圧パイロット弁１３との間には、減圧開放弁１５が設けられているので、排圧弁１９の設定圧力を調圧パイロット弁１３の設定圧力と切り離して、可能な限り低く設定できる。
【００２１】
監視状態において、例えば二次側配管７の水漏れ等により二次側配管７内の圧力が所定圧よりも低下した場合、例えば減圧開放弁１５の二次側の圧力が（減圧開放弁１５の一次側圧力-0.37MPa）未満、例えば0.03MPa未満になった場合には、図２に示すように、減圧開放弁１５がわずかに開放して二次側に充水する。これによって、二次側配管７内の圧力が回復される。
【００２２】
調圧パイロット弁１３の設定圧力を0.4MPa、減圧開放弁１５の設定圧力を0.03MPa、排圧弁１９の設定圧力を0.05MPaとした場合、監視状態における圧力状態を例示すると、調圧パイロット弁１３の一次側圧力（一次側配管５内の圧力）：0.5MPa〜1.4MPa、調圧二次側配管３５内の圧力：0.4MPa、二次側配管７内の圧力：0.03MPa〜0.05MPaとなる。
【００２３】
＜火災発生時＞
火災が発生し、スプリンクラヘッド３が開放して、二次側配管７内の圧力が低下すると、減圧開放弁１５が全開する（図３参照）。減圧開放弁１５は全開すると、図３に示すように、弁棒４９の凹部４９ａに係止部５１が係止して弁棒４９の動きを規制するので、弁体４３は全開状態を維持する。
減圧開放弁１５が開放することで、二次側配管７と調圧二次側配管３５が連通し、二次側配管７内の圧力は調圧パイロット弁１３で、例えば0.4MPaに調圧されて開放したスプリンクラヘッド３から放水される。
【００２４】
以上のように、本実施の形態に係るスプリンクラ消火設備１においては、二次側配管７と調圧パイロット弁１３との間に設けられて、監視状態では二次側配管７内の圧力が低下した時に開放して、二次側配管７の圧力を所定圧以上に調圧し、閉鎖型スプリンクラヘッド３が開放した際には、開放状態を維持する減圧開放弁１５を設けたことにより、監視状態における二次側配管７内の圧力設定を調圧パイロット弁１３の設定圧力と切り離して設定することが可能になり、二次側配管７内の圧力を、圧力変動の検知ができる程度のごく低圧に設定することができる。
これによって、二次側配管７からの水漏れ防止、腐食進行防止の要請に応えることができる。
また、既存の設備において、二次側配管７から水漏れが発生している場合であっても、本実施の形態で示したように、調圧パイロット弁１３の二次側に減圧開放弁１５を設けるように設備の改修をすれば、二次側配管７からの水漏れ、腐食進行を防止することができる。
【符号の説明】
【００２５】
１  スプリンクラ消火設備
３  閉鎖型スプリンクラヘッド
５  一次側配管
７  二次側配管
９  流水検知装置
１１  シリンダ室
１３  調圧パイロット弁
１５  減圧開放弁
１７  排水管
１９  排圧弁
２１  弁箱
２３  ジスク
２５  一次室
２７  二次室
２９  リミットスイッチ
３１  連通管
３３  逆止弁
３５  調圧二次側配管
３７  一次側接続部
３９  二次側接続部
４１  ケーシング
４３  弁体
４５  付勢手段
４７  ストッパ機構
４９  弁棒
４９ａ  凹部
５１  係止部
５３  シール部
【図１】
2020156811.tif 000003
【図２】
2020156811.tif 000004
【図３】
2020156811.tif 000005